(57)【特許請求の範囲】
【請求項１】
有底筒状をなし、内容物が収容される容器本体と、
前記容器本体において容器軸を挟んで互いに対向する位置に基端部がヒンジを介して連結され、前記容器本体の開口を開閉する一対の蓋体と、
前記一対の蓋体のいずれか一方に弱化部を介して接続され、前記一対の蓋体の先端部同士の間にある容器軸に直交する方向の隙間内に嵌挿されて前記蓋体の前記ヒンジ回りの回動を規制する嵌挿片と、を備え、
前記一対の蓋体には、前記容器本体内に着脱自在に嵌合される嵌合部が形成され、
前記嵌合部には、前記容器本体に形成された第１係合部と係合する第２係合部が形成され、
前記容器本体が、前記ヒンジが配設された周方向に沿う部分が前記容器本体の内側に向けて押し込まれたときに、前記第１係合部が形成された部分が前記容器本体の外側に向けて変位するように弾性変形可能に形成されていることを特徴とする蓋付容器。
【請求項２】
前記容器本体の上端部が、横断面で長方形状をなしており、前記容器軸を挟んで互いに対向する一対の長辺壁部及び一対の短辺壁部を有しており、
前記第１係合部が、前記長辺壁部に形成され、
前記ヒンジが、前記短辺壁部に配設されていることを特徴とする請求項１に記載の蓋付容器。
【請求項３】
前記蓋体には、当該蓋体を前記ヒンジ回りで前記容器軸に沿う前記容器本体の外側に向けて付勢する付勢部が設けられることを特徴とする請求項１または２に記載の蓋付容器。
【請求項４】
前記一対の蓋体の一方には、前記一対の蓋体の他方における前記嵌合部を前記容器軸に沿う前記容器本体の内側から支持する支持突出部が設けられていることを特徴とする請求項１から３のいずれか１項に記載の蓋付容器。
【請求項５】
前記容器本体には、前記一対の蓋体のうち少なくとも一方における前記嵌合部を前記容器軸に沿う前記容器本体の内側から支持する支持部が設けられていることを特徴とする請求項１から４のいずれか１項に記載の蓋付容器。
【発明の詳細な説明】
【技術分野】
【０００１】
本発明は、蓋付容器に関するものである。
【背景技術】
【０００２】
錠剤が収容される容器体と、枢着部を介して容器体に回動可能に連結され、容器体の開口を開閉する蓋体と、容器体に破断部を介して連結され、蓋体の回動を阻止する封止板と、を備え、破断部を破断することによって封止板を除去した後に、蓋体において枢着部とは反対側に設けられた操作部を操作することによって、容器体の開口を開閉する錠剤容器が提案されている（例えば、特許文献１参照）。このような錠剤容器では、封止板によって蓋体の回動を阻止することにより、錠剤容器の流通時などで不正に容器体の開口が開放されることを防止すると共に、破断部の状態を視認することで、開封に先立って容器体の開口が開放されたことがあるかを容易に認識できる。
【先行技術文献】
【特許文献】
【０００３】
【特許文献１】特開２０１１−１５７１０３号公報
【発明の概要】
【発明が解決しようとする課題】
【０００４】
しかしながら、このような錠剤容器では、蓋体に操作部が設けられており、また、単にこの操作片を操作して蓋体を枢着部回りで回動させることによって容器体の開口を開放できるため、封止板を除去した後に、幼児などに容易に開口を開放させないようにするチャイルドプルーフ機能を付与することに改善の余地があった。
【０００５】
本発明は、前述の課題に鑑みてなされたもので、開封に先立って容器本体の開口が開放されたことを容易に判別できることや良好な操作性を維持しつつ、チャイルドプルーフ機能を付与する蓋付容器を提供することを目的とする。
【課題を解決するための手段】
【０００６】
本発明は、上記のような課題を解決するために以下のような手段を採用した。すなわち、本発明の蓋付容器は、有底筒状をなし、内容物が収容される容器本体と、前記容器本体において容器軸を挟んで互いに対向する位置に基端部がヒンジを介して連結され、前記容器本体の開口を開閉する一対の蓋体と、前記一対の蓋体のいずれか一方に弱化部を介して接続され、前記一対の蓋体の先端部同士の間にある容器軸に直交する方向の隙間内に嵌挿されて前記蓋体の前記ヒンジ回りの回動を規制する嵌挿片と、を備え、前記一対の蓋体には、前記容器本体内に着脱自在に嵌合される嵌合部が形成され、前記嵌合部には、前記容器本体に形成された第１係合部と係合する第２係合部が形成され、前記容器本体が、前記ヒンジが配設された周方向に沿う部分が前記容器本体の内側に向けて押し込まれたときに、前記第１係合部が形成された部分が前記容器本体の外側に向けて変位するように弾性変形可能に形成されていることを特徴とする。
【０００７】
この発明では、嵌挿片を除去していない状態では、一対の蓋体間の隙間に嵌挿された嵌挿片によって蓋体のヒンジ回りの回動が阻止され、また、嵌挿片が弱化部を介して一方の蓋体に接続されていることを確認することによって開封に先立って容器本体の開口が開放されたことがあるか否かを判別できる。
また、嵌挿片を除去した状態でも、一対の蓋体が容器本体の開口を閉塞している状態では、容器本体に形成されている第１係合部と蓋体の嵌合部に形成されている第２係合部とが係合しているので、一対の蓋体がヒンジ回りに回動して容器本体の開口が開放されることが規制される。そして、容器本体のうち一対のヒンジが配設された周方向に沿う部分を容器本体の内側に向けて押し込むと、容器本体のうち第１係合部が形成されている部分が容器本体の外側に向けて変位して第２係合部から容器本体の外側へ離れるので、第１係合部と第２係合部との係合が解除される、または緩む。この状態で、一対の蓋体をヒンジ回りに回動させることにより、容器本体の開口を開放できる。そして、蓋体をヒンジ回りに回動させて第１係合部と第２係合部とを再度係合させることによって、容器本体の開口を閉塞する。
このように、容器本体の開口を開放するために、蓋体だけではなく内容物を収容する容器本体の上記部分を容器本体の内側に向けて押し込みながら一対の蓋体をヒンジ回りに回動させる必要があるので、この開放の仕方が外観上だけでは分かりにくくなり、内容物を取り出す容器本体の開口を容易に開放させないようにすることができる。
以上より、開封に先立って容器本体の開口が開放されたことを容易に判別できることや良好な操作性を維持しつつ、チャイルドプルーフ機能を付与することができる。
【０００８】
また、本発明の蓋付容器では、前記容器本体の上端部が、横断面で長方形状をなしており、前記容器軸を挟んで互いに対向する一対の長辺壁部及び一対の短辺壁部を有しており、前記第１係合部が、前記長辺壁部に形成され、前記ヒンジが、前記短辺壁部に配設されていてもよい。
この場合では、長辺壁部が、短辺壁部よりも周方向の大きさが大きいため、短辺壁部と比較して容器軸に直交する方向で変形しやすい。これにより、ヒンジが配設されている一対の短辺壁部を容器軸に直交する方向に押し込む際に、第１係合部が形成されている一対の長辺壁部が容器本体の外側に向けて弾性変形しやすくなる。また、長辺壁部よりも周方向の大きさが小さい短辺壁部にヒンジを配設することで、一対の短辺壁部を容器本体の内側に向けて弾性変形することを抑制しながら短辺壁部全体を容器本体の内側に向けて変位させることができる。したがって、チャイルドプルーフ機能を付与しつつ、第１係合部と第２係合部との係合解除が容易になり、操作性が向上する。
【０００９】
また、本発明の蓋付容器では、前記蓋体には、当該蓋体を前記ヒンジ回りで前記容器軸に沿う前記容器本体の外側に向けて付勢する付勢部が設けられてもよい。
この発明では、容器本体の上記部分を容器本体の内側に向けて押し込むだけで第１係合部と第２係合部との係合を解除すると同時に蓋体が付勢部によってヒンジ回りに回動して持ち上げられて蓋体の回動を補助する一方で、容器本体の上記部分を容器本体の内側に向けて押し込まなければ第１係合部と第２係合部との係合が維持されて蓋体がヒンジ回りに回動しない。また、いったん第１係合部と第２係合部との係合を解除した後に容器本体の上記部分の押し込みを解除しても、付勢部が設けられた蓋体の第２係合部と容器本体の第１係合部とが再度係合することが防止される。そのため、容器本体の開口を容易に開放させないようにしつつ、いったん開放の仕方を理解すれば容器本体の開口を容易に開放できるので、操作性がさらに向上する。
【００１０】
また、本発明の蓋付容器では、前記一対の蓋体の一方には、前記一対の蓋体の他方における前記嵌合部を前記容器軸に沿う前記容器本体の内側から支持する支持突出部が設けられてもよい。
この発明では、支持突出部が他方の蓋体を容器軸に沿う容器本体の内側から支持するので、他方の蓋体に対して容器軸に沿う容器本体の外側から力が掛かったときに第１係合部と第２係合部との係合が解除されることを防止できる。
【００１１】
また、本発明の蓋付容器では、前記容器本体には、前記一対の蓋体のうち少なくとも一方における前記嵌合部を前記容器軸に沿う前記容器本体の内側から支持する支持部が設けられてもよい。
この発明では、支持部が一対の蓋体の少なくとも一方を容器軸に沿う容器本体の内側から支持するので、この蓋体に対して容器軸に沿う容器本体の外側から力が掛かったときに第１係合部と第２係合部との係合が解除されることを防止できる。
【発明の効果】
【００１２】
この発明にかかる蓋付容器によれば、開封するために弱化部を破断して嵌挿片を除去する必要があり、また、容器本体の開口を開放する場合には、容器本体のうちヒンジが配設されている部分を容器本体の内側に向けて押し込みながら一対の蓋体をヒンジ回りに回動させる必要がある一方で、容器本体の開口を閉塞する場合には、一対の蓋体をヒンジ回りに回動させるだけでよい。そのため、開封に先立って容器本体の開口が開放されたことを容易に判別できることや良好な操作性を維持しつつ、チャイルドプルーフ機能を付与することができる。
【図面の簡単な説明】
【００１３】
【図１】本発明の一実施形態における蓋付容器を示す軸方向断面図である。
【図２】図１の蓋付容器を示す他の軸方向断面図である。
【図３】図１の蓋付容器を示す上面図である。
【図４】図１の蓋付容器の一部を示す拡大上面図である。
【図５】図１の蓋付容器の一部を示す断面図である。
【図６】図１の蓋付容器の開口の開放方法を示す上面図である。
【図７】図１の蓋付容器の開口の開放方法を示す軸方向断面図である。
【図８】図１の蓋付容器の開口の開放方法を示す上面図である。
【図９】図１の蓋付容器の開口の開放方法を示す軸方向断面図である。
【発明を実施するための形態】
【００１４】
以下、本発明における蓋付容器の一実施形態を、図面に基づいて説明する。なお、以下の説明に用いる各図面では、各部材を認識可能な大きさとするために縮尺を適宜変更している。
【００１５】
本実施形態における蓋付容器１は、図１から図３に示すように、内容物が収容される容器本体２と、容器本体２に基端部がヒンジ３、４を介して連結された容器本体２の開口２Ａを開閉する第１蓋体（一方の蓋体）５及び第２蓋体（他方の蓋体）６と、第１及び第２蓋体５、６の先端部間の隙間内に嵌挿された嵌挿片７と、を備えている。
容器本体２は、横断面が長方形状の有底四角筒状をなしており、長方形状の底壁部１１と、底壁部１１の外周縁から上方に延設された四角筒状の筒壁部１２と、を備えている。本実施形態では、容器本体２の中心軸線を容器軸Ｏとし、容器軸Ｏに沿って第１及び第２蓋体５、６側を上方、その反対側を下方とし、容器軸Ｏに直交する方向を径方向、容器軸Ｏ回りの方向を周方向とする。
【００１６】
筒壁部１２は、容器軸Ｏを挟んで径方向で互いに向かい合う長方形状の一対の長辺壁部１３、１４と、同様に容器軸Ｏを挟んで径方向で互いに向かい合う長方形状の一対の短辺壁部１５、１６と、を有する。長辺壁部１３、１４の上端部は、図１及び図２に示すように、短辺壁部１５、１６の上端部よりも上方に突出している。
【００１７】
長辺壁部１３の上端部における周方向の中央部には、図１から図３に示すように、周方向に長い長方形状の係合孔部（第１係合部）１３Ａ、１３Ｂが周方向に間隔をあけて形成されており、長辺壁部１４の上端部における周方向の中央部には、周方向に長い長方形状の係合孔部（第１係合部）１４Ａ、１４Ｂが周方向に間隔をあけて形成されている。なお、係合孔部１３Ａ、１３Ｂ及び係合孔部１４Ａ、１４Ｂそれぞれは、周方向で離間して形成されているが、繋がって１つの係合孔部を構成してもよい。
また、長辺壁部１３、１４は、周方向の両端部から中央部に向けて径方向外側に向けて若干膨出するように湾曲板状をなしている。さらに、長辺壁部１３、１４は、短辺壁部１５、１６よりも周方向の幅が広くなっており、短辺壁部１５、１６と比較して径方向に変形しやすくなっている。なお、長辺壁部１３、１４は、平坦な板状であってもよい。
長辺壁部１３の周方向の中央部内面には、上下方向に延在して第１及び第２蓋体５、６を下方から支持する支持リブ部（支持部）１３Ｃ、１３Ｄが周方向に間隔をあけて形成されており、長辺壁部１４の周方向の中央部内面には、同様に、支持リブ部（支持部）１４Ｃ、１４Ｄが周方向に間隔をあけて形成されている。これら支持リブ部１３Ｃ、１３Ｄ、１４Ｃ、１４Ｄは、長辺壁部１３、１４の下端から上方に向けて直線状に延在しているが、形状を適宜変更してもよい。
【００１８】
短辺壁部１５の上端部は、ヒンジ３を介して第１蓋体５に連結されており、短辺壁部１６の上端部は、ヒンジ４を介して第２蓋体６に連結されている。したがって、ヒンジ３、４は、係合孔部１３Ａ、１３Ｂ、１４Ａ、１４Ｂを回避した位置に配設されている。短辺壁部１５、１６は、長辺壁部１３、１４よりも周方向の幅が狭くなっており、長辺壁部１３、１４と比較して弾性変形しにくいので、短辺壁部１５、１６全体として径方向に変位しやすくなっている。
【００１９】
第１蓋体５は、横断面が長方形状の有頂四角筒状をなしており、平面視で長方形状の天壁部２１と、天壁部２１の外周縁から下方に延設された四角筒状の周壁部２２と、を備えている。
周壁部２２は、長辺壁部１３、１４が向かい合う方向で互いに向かい合う一対の長辺側壁部（嵌合部）２３、２４と、同様に短辺壁部１５、１６が向かい合う方向で互いに向かい合う一対の短辺側壁部２５、２６と、を有する。
【００２０】
長辺側壁部２３、２４それぞれは、長辺壁部１３、１４の内周面に沿って延在しており、容器本体２内に嵌合されている。なお、長辺側壁部２３、２４は、天壁部２１や短辺側壁部２５、２６よりも薄くされている。
また、長辺側壁部２３、２４それぞれの上端部には、径方向外側に向けて係合突出部（第２係合部）２３Ａ、２４Ａが突設されている。係合突出部２３Ａは、径方向内側から係合孔部１３Ａと係合しており、係合突出部２４Ａは、径方向内側から係合孔部１４Ｂと係合している。
さらに、長辺側壁部２３の下端は、支持リブ部１３Ｃの上端に当接または近接しており、長辺側壁部２４の下端は、支持リブ部１４Ｄの上端に当接または近接している。
【００２１】
短辺側壁部２５の下端部は、ヒンジ３を介して短辺壁部１５の上端部に連結されている。また、短辺側壁部２５の下端部には、図１に示すように、第１蓋体５をヒンジ３回りで上方に向けて付勢する板バネ部（付勢部）２５Ａが設けられている。板バネ部２５Ａは、下方に向かうにしたがって径方向外側に向けて湾曲していると共に（例えば図７参照）、その下端部が短辺壁部１５に当接しており、短辺壁部１５を径方向内側から付勢することによって第１蓋体５をヒンジ３回りで回動させることができる。
短辺側壁部２６は、図１及び図３に示すように、短辺側壁部２５よりも第２蓋体６側に配設されており、上下方向に沿って長辺側壁部２３、２４の下端まで延在している。
【００２２】
第２蓋体６は、図１から図３に示すように、第１蓋体５と同様の構成を有しており、天壁部３１と、周壁部３２と、を備えている。
周壁部３２は、周壁部２２と同様に、一対の長辺側壁部３３、３４と、一対の短辺側壁部３５、３６と、を有する。
長辺側壁部３３、３４それぞれの上端部には、係合突出部（第２係合部）３３Ａ、３４Ａが突設されている。係合突出部３３Ａは、径方向内側から係合孔部１４Ａと係合しており、係合突出部３４Ａは、径方向内側から係合孔部１３Ｂと係合している。また、長辺側壁部３３の下端は、支持リブ部１４Ｃの上端に当接または近接しており、長辺側壁部３４の下端は、支持リブ部１３Ｄの上端に当接または近接している。
【００２３】
短辺側壁部３５の下端部は、ヒンジ４を介して短辺壁部１６の上端部に連結されている。短辺側壁部３６は、短辺側壁部２６と隙間を介して容器軸Ｏを挟んで径方向で互いに向かい合っている。また、短辺側壁部３６の下端には、短辺側壁部２６と向かい合う方向で短辺側壁部２６の下端に向けて支持突出部３６Ａが延設されており、この支持突出部３６Ａは、短辺側壁部２６の下端を下方から支持する。
【００２４】
嵌挿片７は、断面Ｌ字状をなす板状部材であり、図１から図５に示すように、第２蓋体６の天壁部３１の上面に沿って延在する板状の操作部４１と、操作部４１の径方向内側の端部から下方に向けて延設され、第１及び第２蓋体５、６の先端部間の隙間内に嵌合挿入されて第１及び第２蓋体５、６の回動を規制する嵌挿部４２と、を有する。操作部４１は、第２蓋体６がヒンジ４回りに回動することを規制する機能も果たす。また、嵌挿部４２の上端部は、弱化部４３を介して短辺側壁部２６の上端部に連結されている。
なお、操作部４１は、第１蓋体５の天壁部２１の上面に沿って延在すると共に、弱化部４３は、短辺側壁部３６の上端部に連結されてもよい。この場合、第１蓋体５の回動は、操作部４１によって規制される。また、第２蓋体６をヒンジ４回りに回動させようとしても、支持突出部３６Ａが短辺側壁部２６の下端に対して下方から当接し、この短辺側壁部２６の下端によって第２蓋体６のヒンジ４回りの回動が規制される。
【００２５】
次に、以上のような構成の蓋付容器１における開口２Ａの開放方法について説明する。
まず、操作部４１と天壁部３１との間の間隙に指などを掛けて操作部４１を引き上げ、弱化部４３を破断する。これにより、嵌挿片７を除去する。ここで、嵌挿片７が弱化部４３を介して第１蓋体５に接続されていることを視認することで、開封に先立って容器本体２の開口２Ａが開放されたか否かが判別される。
この状態で、第１及び第２蓋体５、６それぞれをヒンジ３、４回りに回動させようとしても、長辺壁部１３、１４の係合孔部１３Ａ、１３Ｂ、１４Ａ、１４Ｂと周壁部２２、３２の係合突出部２３Ａ、３４Ａ、３３Ａ、２４Ａとが係合しているので、第１及び第２蓋体５、６それぞれをヒンジ３、４回りに回動させることが規制される。そのため、容器本体２の開口２Ａを開放する動作が規制される。
【００２６】
そのため、容器本体２の開口２Ａを開放するためには、まず、図３の矢印Ａに示すように、容器本体２の一対の短辺壁部１５、１６を径方向内側に押圧する。
一対の短辺壁部１５、１６を互いに径方向内側に押し込むと、長辺壁部１３、１４それぞれの周方向両端部が互いに接近移動するので、図６の矢印Ｂに示すように、長辺壁部１３、１４が互いに離間するように径方向外側に向けて弾性変形し、係合孔部１３Ａ、１３Ｂ、１４Ａ、１４Ｂが係合突出部２３Ａ、３４Ａ、３３Ａ、２４Ａから離間するように径方向外側に向けて変位する。
【００２７】
このとき、短辺壁部１５、１６は、長辺壁部１３、１４よりも周方向の幅が狭くなっているので、長辺壁部１３、１４と比較して弾性変形しにくくなっている。そのため、短辺壁部１５、１６の周方向中央部を径方向内側に押し込んでも、押し込む際に掛けた力が短辺壁部１５、１６を径方向内側に弾性変形させずに、短辺壁部１５、１６全体を径方向内側に変位させる。一方、長辺壁部１３、１４は、短辺壁部１５、１６よりも周方向の幅が広くなっており、また、長辺壁部１３、１４が湾曲板状をなしているので、径方向内側に向けて陥没変形することを防止しつつ確実に径方向外側に膨出変形させる。
【００２８】
これにより、係合孔部１３Ａ、１３Ｂ、１４Ａ、１４Ｂと係合突出部２３Ａ、３４Ａ、３３Ａ、２４Ａとの係合が解除される、または緩むので、第１及び第２蓋体５、６のヒンジ３、４回りの回動の規制が解除される。
このように係合孔部１３Ａ、１３Ｂ、１４Ａ、１４Ｂと係合突出部２３Ａ、３４Ａ、３３Ａ、２４Ａとの係合を解除すると、第１蓋体５は、図７に示すように、板バネ部２５Ａが復元変形することによってヒンジ３回りで回動して持ち上がる。そのため、短辺壁部１５、１６を径方向内側に変位させる力を解除しても、第１蓋体５の係合突出部２３Ａ、２４Ａが係合孔部１３Ａ、１４Ｂと再度係合してしまうことを規制する。
その後、図８に示すように、第１蓋体５をヒンジ３回りに回動させ、同様に、図９に示すように、第２蓋体６をヒンジ４回りに回動させ、容器本体２の開口２Ａを開放する。以上のようにして、容器本体２の開口２Ａを開放する。
【００２９】
容器本体２の開口２Ａを閉塞する際には、第１及び第２蓋体５、６それぞれをヒンジ３、４回りに回動させ、係合孔部１３Ａ、１３Ｂ、１４Ａ、１４Ｂと係合突出部２３Ａ、３４Ａ、３３Ａ、２４Ａとを係合させる。これにより、容器本体２の開口２Ａを閉塞すると共に、第１及び第２蓋体５、６のヒンジ３、４回りの回動を再度規制する。
容器本体２の開口２Ａを閉塞している状態では、第２蓋体６の支持突出部３６Ａが第１蓋体５の短辺側壁部２６を下方から支持すると共に、支持リブ部１３Ｃ、１３Ｄ、１４Ｃ、１４Ｄが第１及び第２蓋体５、６それぞれの長辺側壁部２３、３４、３３、２４それぞれを下方から支持する。そのため、第１及び第２蓋体５、６に対して上方から外力が加わっても、この外力によって係合孔部１３Ａ、１３Ｂ、１４Ａ、１４Ｂと係合突出部２３Ａ、３４Ａ、３３Ａ、２４Ａとの係合が解除されて、第１及び第２蓋体５、６が下方に押し込まれることを防止する。
【００３０】
以上のような構成の蓋付容器１によれば、嵌挿片７が弱化部４３を介して第１蓋体５に接続されていることを視認できるので、開封に先立って容器本体２の開口２Ａが開放されたか否かを判別できる。
また、容器本体２の開口２Ａを開放するために、容器本体２のうち一対の短辺壁部１５、１６を径方向内側に押し込みながら第１及び第２蓋体５、６をヒンジ３、４回りに回動させる必要があり、さらに、容器本体２の開口２Ａを閉塞するために、第１及び第２蓋体５、６をヒンジ３、４回りに回動させるだけでよいので、容易に判別できることや良好な操作性を維持しつつ、チャイルドプルーフ機能を付与することができる。
【００３１】
また、係合孔部１３Ａ、１３Ｂ、１４Ａ、１４Ｂを長辺壁部１３、１４に形成すると共にヒンジ３、４を短辺壁部１５、１６に配設することで、短辺壁部１５、１６を径方向内側に弾性変形することを防止しながら短辺壁部１５、１６全体を径方向内側に変位させることができると共に、長辺壁部１３、１４を径方向外側に膨出変形させやすくすることができる。
さらに、第１蓋体５に板バネ部２５Ａを設けることで、係合孔部１３Ａ、１３Ｂ、１４Ａ、１４Ｂと係合突出部２３Ａ、３４Ａ、３３Ａ、２４Ａとが係合しているときには容器本体２の開口２Ａを容易に開放させないようにしつつ、係合を解除したときに第１蓋体５のヒンジ３回りの回動を補助するので、いったん開口２Ａの開放の仕方を理解すれば開口２Ａを容易に開放できるようになり、操作性がさらに向上する。
その上、支持突出部３６Ａ及び支持リブ部１３Ｃ、１３Ｄ、１４Ｃ、１４Ｄを設けることで、第１及び第２蓋体５、６に上方から外力が加わっても、この外力によって第１及び第２蓋体５、６が下方に押し込まれて係合孔部１３Ａ、１３Ｂ、１４Ａ、１４Ｂと係合突出部２３Ａ、３４Ａ、３３Ａ、２４Ａとの係合が解除されることを防止できる。
【００３２】
なお、本発明は上記実施形態に限定されるものではなく、本発明の趣旨を逸脱しない範囲において種々の変更を加えることができる。
例えば、容器本体及び蓋体の形状は、四角筒状でなく、他の形状であってもよい。また、嵌合部は、係合突出部が形成されていれば、筒状でなく、他の形状であってもよい。
係合孔部は、長辺壁部における周方向の中央部に形成しているが、ヒンジを周方向で回避した位置に配設されていれば、他の箇所に配設されてもよい。
嵌挿片は、断面Ｌ字状をなす板状部材であるが、隙間に嵌挿されて第１及び第２蓋体のヒンジ回りの回動を規制できればよく、他の形状であってもよい。また、弱化部は、第１蓋体に接続されているが、第２蓋体に接続されてもよく、第１及び第２蓋体双方に接続されてもよい。
【００３３】
板バネ部は、第１蓋体に設けられているが、第２蓋体に設けられてもよく、第１及び第２蓋体双方に設けられてもよい。また、蓋体をヒンジ回りで上方に付勢すれば、板バネ部に限らず、他の構造であってもよい。さらに、付勢部を設けなくてもよい。
支持突出部は、第１蓋体の短辺側壁部を下方から支持するが、蓋付容器の外部から容器本体の内部に異物が混入することを防止できればよく、第１蓋体の短辺側壁部に当接するのみで短辺側壁部を下方から支持しない構成であってもよい。また、第１蓋体に支持突出部を設けて第２蓋体の短辺側壁部を下方から支持するような構成としてもよい。さらに、支持突出部を設けなくてもよい。
支持部は、第１及び第２蓋体を支持するが、第１及び第２蓋体の少なくとも一方を支持するように構成されていればよく、容器本体の長辺壁部以外の箇所に設ける構成としてもよい。また、支持部を設けない構成としてもよい。
【００３４】
長辺側壁部は、長辺壁部の径方向内側に配設されており、外部に露出していないが、上端部が長辺壁部から露出する構成であってもよい。
第１係合部と第２係合部とは、互いに係合すればよく、第１係合部を係合凹部とする構成や、第１係合部を係合突出部とすると共に、第２係合部を係合孔部または係合凹部とする構成など、他の形状であってもよい。また、容器本体に一対の係合孔部が形成されると共に、各蓋体に一対の係合突出部が形成されているが、少なくとも１つの係合孔部と係合突出部とが形成されていればよい。
第１及び第２蓋体には、第１及び第２蓋体をヒンジ回りに回動させるための操作部となる指掛け突起部などを設けてもよい。
【産業上の利用可能性】
【００３５】
この発明によれば、開封に先立って容器本体の開口が開放されたことを容易に判別できることや良好な操作性を維持しつつ、チャイルドプルーフ機能を付与する蓋付容器に関して、産業上の利用可能性が認められる。
【符号の説明】
【００３６】
１  蓋付容器、２  容器本体、２Ａ  開口、３，４  ヒンジ、５  第１蓋体（一方の蓋体）、６  第２蓋体（他方の蓋体）、７  嵌挿片、１３，１４  長辺壁部、１３Ａ，１３Ｂ，１４Ａ，１４Ｂ  係合孔部（第１係合部）、１５，１６  短辺壁部、２３，２４，３３，３４  長辺側壁部（嵌合部）、２３Ａ，２４Ａ，３３Ａ，３４Ａ  係合突出部（第２係合部）、Ｏ  容器軸
【図１】
0005846876.tif 000002
【図２】
0005846876.tif 000003
【図３】
0005846876.tif 000004
【図４】
0005846876.tif 000005
【図５】
0005846876.tif 000006
【図６】
0005846876.tif 000007
【図７】
0005846876.tif 000008
【図８】
0005846876.tif 000009
【図９】
0005846876.tif 000010